(57)【要約】【課題】スペ−ス的な制約を受けることなく、人出の多い場所でイベントを任意に開催可能とするとともに、準備作業を簡便化する。【解決手段】中空柱形状の広告ボ−ド１０は、台座１２の上に縦方向に分割された１２枚の広告パネル１６をその全周に設けて広告面を形成している。１２枚の広告パネル１６のうち、６枚の可動の広告パネル１６−１〜１６−３、１６−１０〜１６−１２が可動とされ、残る６枚の固定の広告パネル１６−４〜１６−９の背後に可動の広告パネルを移動・収納すれば、台座の一部がイベントステ−ジに直ちに変身して、広告ボ−ド１０がイベントステ−ジとして利用できる。可動の広告パネルをもとの位置に戻せば、展示・即売品を展示したままの状態でイベントステ−ジが隠され、煩雑な準備作業が不要となる。【選択図】          図１
2004191511.tif 000002
【特許請求の範囲】
【請求項１】
台座の上に縦方向に分割された複数の広告パネルを設けて広告面を形成する中空柱形状の広告ボ−ドにおいて、
広告パネルの一部を台座上で可動とし、可動の広告パネルを固定の広告パネルの背後に移動・収納させることにより、台座上にイベントステ−ジを設定する中空柱形状の広告ボ−ド。
【請求項２】
台座の上に縦方向に分割された複数の広告パネルを設けて広告面を形成し、
広告パネルの一部を台座上で可動とし、台座上のガイド手段に導かれて可動の広告パネルが、固定の広告パネルの背後に移動・収納され、
遮蔽手段によって固定の広告パネルの内部を遮蔽して遮蔽手段前の台座上にイベントステ−ジを設定する中空柱形状の広告ボ−ド。
【請求項３】
遮蔽手段は開閉可能なドアを持つ遮蔽壁であり、棚を取付けるための多数の孔が上下左右に離反して遮蔽壁に形成されている請求項２記載の中空柱形状の広告ボ−ド。
【請求項４】
遮蔽壁のドアが外開きの幅の異なる大小のドアからなる請求項３記載の中空柱形状の広告ボ−ド。
【請求項５】
台座は可動の広告パネルの位置する可動台座と固定の広告パネルの位置する固定台座とに分割され、可動台座はガイドレ−ルにガイドされて固定台座との当接位置から引出可能に構成された請求項１〜４記載の中空柱形状の広告ボ−ド。
【請求項６】
台座用ストッパによって可動台座の引出位置が限定され、可動台座の引出によって生じた可動台座との隙間に、ステップ板が架設される請求項５記載の中空柱形状の広告ボ−ド。
【請求項７】
ステップ板は可動台座、固定台座のいずれかに回動可能に取付けられて係合・保持され、係合を解除されると、ステップ板用ストッパに当接するまで自重で回動して台座と同一平面を設定する請求項６記載の中空柱形状の広告ボ−ド。
【請求項８】
可動の広告パネルのガイド手段は、可動の広告パネルの位置から固定の広告パネルの背後まで台座上に形成されたガイド溝を備え、可動の広告パネルの下端に設けられた転動手段がガイド溝を転動することによって、可動の広告パネルが固定の広告パネルの背後に移動し、固定の広告パネルと並んで収納される請求項１〜７記載の中空柱形状の広告ボ−ド。
【請求項９】
台座と、
台座上に設けられて柱形状の広告面を形成する縦方向に分割された複数の広告パネルと、
広告パネルの一部を他の広告パネルに沿って背後にガイドし、収納するためのガイド手段とを備えた中空柱形状の広告ボ−ド。
【請求項１０】
縦方向に分割された複数の広告パネルを台座上に設けて広告面をその外面に形成する中空柱形状の広告ボ−ドにおいて、
広告パネルの一部を他の広告パネルに沿って背後にガイドし、収納するためのガイド手段と、
前記他の広告パネルの内方を遮蔽してその前面の台座上にイベントステ−ジを設定する遮蔽手段と、
を備えたことを特徴とする中空柱形状の広告ボ−ド。
【請求項１１】
台座の上に縦方向に分割された複数の広告パネルを設けて広告面を形成する中空柱形状の広告ボ−ドの一部を台座上で可動とし、
可動の広告パネルを固定の広告パネルの背後に移動・収納させて、台座上にイベントステ−ジを設定するイベントステ−ジの設定方法。
【請求項１２】
台座の上に縦方向に分割された複数の広告パネルを設けて広告面を形成する中空柱形状の広告ボ−ドの一部を台座上の複数箇所で可動とし、
可動の広告パネルを隣接する固定の広告パネルの背後に移動・収納させて、台座上に複数方向に開口したイベントステ−ジを設定するイベントステ−ジの設定方法。
【請求項１３】
台座を可動の広告パネルの位置する可動台座と可動の広告パネルの位置する固定台座とに分離し、可動台座を引出し、可動台座の引出しによって生じた隙間にステップ板を架設する請求項１１〜１２記載のイベントステ−ジの設定方法。
【発明の詳細な説明】
【０００１】
【発明の属する技術分野】
この発明は、外面に広告パネルを設けた宣伝・広告機能の高い中空柱形状の広告ボ−ドおよびイベントステ−ジの設定方法に関する。
【０００２】
【従来の技術】
円形（楕円を含む）または多角形の柱形状の外面に広告パネルを設けた中空柱形状の広告ボ−ドが、駅、空港、商店街のコンコ−スなどの、歩行者の通行量の多い場所に配置されている。
【０００３】
広告パネルは、たとえば、基板（たとえば薄い鉄板）の表面に写真製版のカラ−ポスタ−を貼付して形成され、広告ボ−ドの外面に沿って複数の広告パネルを縦方向または（および）横方向に張り巡らして広告ボ−ドが構成されている。広告ボ−ドは、たとえば円形（楕円を含む）、または、四角形、六角形、八角形などの多角形からなる中空の柱形状とされ、下の台座の張出しや上の天井の庇に設けたスポットライトなどを照射することにより、夜間はもちろん、昼間においても通行者の人目を引き、大きな広告・宣伝機能を果たしている。
【０００４】
なお、写真製版のポスタ−のような固定の映像に代えて、液晶ディスプレイなどに静止画、動画等の映像を投影して広告パネルとする広告ボ−ドもある。
【０００５】
広告ボ−ドは、円形（楕円を含む）または多角形の柱形状であるため、外面全体に広告パネルを設けることができ、あらゆる方向から視認されるため、その広告・宣伝機能は高い。また、中空であるため、軽量化できる。
【０００６】
【発明が解決しようとする課題】
広告ボ−ドの有効面積、つまり、広告パネルの設けられる面積は、広告ボ−ドの展開面積（縦の長さ×横の展開長さ）となる。ここで、視線を極端に下や上にすると目の疲労を招くため、好ましい視線の範囲はおのずから限定され、広告ボ−ドの縦方向の長さ（高さ）は３ｍ〜４ｍ程度に限定される。そのため、広告ボ−ドの有効面積を大きくするためには、横の展開長さ、つまりは、円形においては直径（楕円では長径、短径）、多角形においてはその内接円（または外接円）の直径を大きく設定することが必要となる。たとえば、円柱形の広告ボ−ドにおいて、高さを３ｍ、直径を３ｍ程度とした円柱形の広告ボ−ドをコンコ−スなどに設置すれば、かなりのスペ−スが占有される。
【０００７】
コンコ−スのような歩行者の通行量の多い場所では、人出を見込んで各種のイベントがしばしば開催されている。イベントではイベントステ−ジが設定され、例えば、地方の特産物を紹介するイベントでは、特産物を展示・即売するコ−ナ−や試食品コ−ナ−等がイベントステ−ジに設けられ、特産物、観光地、ホテルなどを紹介するカタログが頒布されている。
【０００８】
広告ボ−ドもイベントも人出を見込んで歩行者の多い場所に設けられるものであるため、広告ボ−ドの設けられたコンコ−スでイベントを開催することがよくある。ここで、広告ボ−ドは常設されるが、イベントは、たとえば一週間といった期間を限定して、または、土曜日曜などの休日に限って開催される。広告ボ−ドの常設されたコンコ−スでイベントを開催すると、イベント開催中、広告ボ−ドに加えてイベントステ−ジによってコンコ−スのスペ−スが占有され、歩行者の流れを妨げるおそれがある。そのため、広告ボ−ドの設置されたコンコ−スなどでは、イベントステ−ジ設定のスペ−ス上の問題からイベントの開催が容易でない。
【０００９】
また、イベント開催のために、展示・即売品をのせる台、机や、垂れ幕、広告パネルなどの備品を搬入してイベントステ−ジを設定し、展示・即売品などを見栄え良く展示しなければならない。イベントは、一週間といった期間を限定して、または、土曜日曜などの休日に限って開催されるため、台、机、垂れ幕、広告パネルなどの備品や展示・即売品を早朝に搬入して、イベントステ−ジを設定し、展示・即売品を展示し、夜、イベントステ−ジを解体して搬出する必要がある。そして、イベント開催期間中、このような搬入、展示、搬出を繰り返さねばならず、準備作業に手間を要している。
【００１０】
最近では、最小限の展示・即売品を搬出して夜間もイベントステ−ジを設定したまま維持し、警備員を常駐させて警備することもある。しかし、この方法では、準備作業が簡略化されるとはいえ、警備員派遣のための費用が展示・即売品の価格に反映して好ましくない。
【００１１】
そのため、スペ−ス的な制約を受けることなく、人出の多い場所でイベントを任意に開催することが切望されている。また、煩雑な準備作業の簡便化も求められている。
【００１２】
この発明は、このような要望に鑑みなされたものであり、その第１の目的は、イベントステ−ジを設定可能な中空柱形状の広告ボ−ドの提供にある。
また、この発明の第２の目的は、中空柱形状の広告ボ−ドを利用したイベントステ−ジの設定方法の提供にある。
【００１３】
【課題を解決するための手段】
この第１の目的を達成するために、この発明の一実施例によれば、台座の上に縦方向に分割された複数の広告パネルを設けて広告面を形成する中空柱形状の広告ボ−ドにおいて、広告パネルの一部を台座上で可動とし、可動の広告パネルを固定の広告パネルの背後に移動・収納させることにより、台座上にイベントステ−ジを設定している。ここで、遮蔽手段によって固定の広告パネルの内部を遮蔽して遮蔽手段前の台座上にイベントステ−ジを設定するとよい。
【００１４】
この発明では、可動の広告パネルを固定の広告パネルの背後に移動し、収納することにより、台座の一部、たとえば、遮蔽手段の前面の台座がイベントステ−ジに直ちに変身して、広告ボ−ドがイベントステ−ジを兼ねる。そのため、スペ−ス上の制約を受けることなく、イベントが任意に開催できる。
【００１５】
台座上のイベントステ−ジに展示・即売品を展示することにより、イベントが開催でき、可動の広告パネルをもとの位置に戻せば、展示・即売品を展示したままイベントステ−ジが隠される。つまり、展示・即売品を一旦展示すれば足り、搬入、展示、搬出を繰り返す必要がないため、煩雑な準備作業が不要となる。
【００１６】
【発明の実施の形態】
以下、図面を参照しながらこの発明の実施の形態について詳細に説明する。
【００１７】
この発明に係る広告ボ−ド１０の一実施例を図１に示す。ここで、図１（Ａ）は正面図、図１（Ｂ）は平面図である。広告ボ−ド１０は、台座１２と、天井１４と、台座、天井間に設けられた広告パネル１６とを備えて構成されている。なお、図１（Ｂ）では、図面の複雑化を防ぐために、天井１４を一点鎖線で示している。実施例では、台座１２は張出し１３を一部に有した円形形状に、天井１４は庇１５を持つ六角形状に形成されているとはいえ、広告ボ−ド１０そのものは中空の円形柱形状となっている。なお、後述するように、張出し１３のあるサイドが前面となり、このサイドにイベントステ−ジが設定される。
【００１８】
広告ボ−ド１０は中空の柱形状であれば足り、円形（楕円を含む）に限定されず、四角形、六角形、八角形などの多角形としてもよい。また、台座１２、天井１４の形状も図示のものに限定されない。さらに、広告ボ−ド１０は独自の天井１４を備えて構成されているが、広告ボ−ドの設置される場所の天井（例えば、コンコ−スの天井）を転用することもでき、この場合には独自の天井１４は省略できる。
【００１９】
広告パネル１６は、たとえば、基板（たとえば薄い鉄板）の表面に写真製版のカラ−ポスタ−を貼付して形成され、実施例では、Ｂ０サイズのカラ−ポスタ−を縦長の基板に２枚組合わせて１つの広告パネル１６が構成され、このような広告パネルが縦方向に分割されて３０°の間隔で広告ボ−ド１０の外周全面に貼付されている。つまり、１２枚の広告パネル１６−１〜１６−１２から広告ボ−ド１０の広告面が形成されている。ここで、カラ−ポスタ−のような固定の映像に代えて、静止画、動画等の映像を液晶ディスプレイなどに投影して広告パネル１６を構成してもよい。
【００２０】
Ｂ０サイズのカラ−ポスタ−を二段に１２枚貼付した広告ボ−ド１０は、高さ２１００ｍ、直径２７９０ｍｍとなり、全面広告の巨大な広告塔となる（台座１２、天井１４も加えれば、高さ２５６０ｍｍ、幅３８００ｍｍとなる）。天井１４の背面図を示す図２からわかるように、天井の庇１５には、照明器具１８、たとえば、２本六組の棒状の蛍光灯１８ａが４５°離反して全周に配置され、１２組の広告パネル１６−１〜１６−１２に照射されて、カラ−ポスタ−を照らす広告ボ−ド１０は、その巨大さと併せて歩行者の目を引いて魅了し、その広告・宣伝効果はきわめて大きい。なお、４つのスポットライト１８ｂが台座の張出し１３の上部で天井の庇１５に配置されており、このスポットライトは、後述するイベントステ−ジのために設けられている。
【００２１】
この発明では、広告ボ−ド１０は巨大な広告塔としての一般的な機能だけでなく、その一部をイベントステ−ジに変身させることができるように構成されている。すなわち、縦方向に分割された１２枚の広告パネルの一部、実施例では、６枚の広告パネルが可動となっており、この可動の広告パネル（可動パネル）が、台座上のガイド手段２０に導かれて、残る６枚の固定の広告パネル（固定パネル）の背後に移動・収納されることにより、台座１２の上にイベントステ−ジ（イベントスペ−ス）を設定する構成となっている。もちろん、実施例の形状に限定されず、可動パネルの数や固定パネルに対する可動パネルの位置などは任意に選択できる。
【００２２】
図１（Ａ）からわかるように、台座１２は可動パネル（可動の広告パネル）１６−１〜１６−３、１６−１０〜１６−１２の前方で張出しており、張出し１３の長さは６枚の可動パネルに対応する長さとなっている。
【００２３】
台座の拡大平面図を示す図３（Ａ）からわかるように、可動パネル（可動の広告パネル）１６−１〜１６−３、１６−１０〜１６−１２の設置位置から固定パネル（固定の広告パネル）１６−４〜１６−９の背後にかけて凹状のガイド溝が台座上に形成され、このガイド溝がガイド手段２０となっている。そして、図３（Ｂ）に示すように、可動パネルの下端に転動手段２２、たとえば、軸受付のロ−ラが取付けられており、ロ−ラの転動によって可動パネルはガイド溝（ガイド手段）２０内を円滑に移動して固定パネルの背後に収納される。なお、ガイド溝に対応するものが天井１４にも形成されて、可動パネル１６−１〜１６−３、１６−１０〜１６−１２の動きを許容していることはいうまでもない。
【００２４】
実施例では、６つの可動パネルのうち、３つづつをたとえばヒンジで連結して２組に分け、左の３つの可動パネル１６−１〜１６−３は固定パネル１６−４〜１６−６の背後に一体的に移動して収納され、右の３つの可動パネル１６−１０〜１６−１２は固定パネル１６−７〜１６−９の背後に一体的に移動して収納されるように構成されている。
【００２５】
このように可動パネルを２つに分割することにより、可動パネルを左右に分けて移動・収納でき、さらに分割した可動パネルを連結しているため、左右一度づつの移動で足り、可動パネルを迅速、容易に収納できる。もちろん、通常は、施錠装置（図示しない）でたとえば左右の端の可動パネル１６−３、１６−１０の動きを拘束して１２枚の広告パネル１６でその全周を覆った状態に、広告ボ−ド１０は維持されている。
【００２６】
なお、ガイド溝２０は、固定パネルに隣接する可動パネル１６−３、１６−９の背後で幅広となっており、矢視Ｘで押力方向を示すように、可動パネル１６−３、１６−１０を内方に押して幅広部２０ａに移してから奥に押せば、固定パネルの背後に可動パネルが移動し収納される。つまり、幅広部２０ａは導入部であり、左右２つの導入部が設けられている。
【００２７】
イベントステ−ジ設定のために、まず、施錠装置による可動パネル１６−３、１６−１０の拘束が解除される。それから、図３（Ａ）において、可動パネル１６−１〜１６−３からなる左の可動パネル群を時計回りに、可動パネル１６−１０〜１６−１２からなる右の可動パネル群を反時計回りに回動させて、６つの可動パネル１６−１〜１６−３、１６−１０〜１６−１２が、隣接する固定パネル１６−４〜１６−６、１６−７〜１６−９の背後にそれぞれ収納される。可動パネル下端の転動手段２２がガイド溝２０を転動するため、可動パネルは円滑に移動し、収納される。また、可動パネルは固定パネルの背後で並んで収納されるため、収納厚さが小さくなる。つまり、収納スペ−スが小さく、有効スペ−スを大きく設定できる。
【００２８】
図４に可動パネルを収納した状態を示し、図４（Ａ）は広告ボ−ド１０の概略右側面図、図４（Ｂ）は天井を除いたその概略平面図、図４（Ｃ）は広告ボ−ドの概略正面図である。６枚の可動パネルが収納されることにより、図４（Ａ）（Ｂ）からよくわかるように、張出し１３の背後で台座１２の上部が開放され、広告ボ−ド１０の中空の内部に開放されたスペ−ス２６が形成される。そして、このスペ−ス２６をイベントステ−ジ（イベントスペ−ス）として広告パネル１０においてイベントが開催される。
【００２９】
たとえば、特産物を展示・即売するコ−ナ−や試食品コ−ナ−等がイベントステ−ジ２６に設けられ、特産物、観光地、ホテルなどを紹介するカタログをイベントステ−ジに置いて頒布される。そして、天井の庇１５に設けたスポットライト１８ｂが点灯されて、イベントステ−ジ２６を華麗に演出する。
【００３０】
可動パネルの位置する台座１２に張出し１３を設けているため、張出し相当分だけイベントステ−ジ２６が広く設定できる。また、イベントステ−ジ用のスポットライト１８ｂを含めて全ての照明器具１８が天井の庇１５に設けられ、台座に照明器具などの障害物はないため、平坦なスペ−スが得られる。
【００３１】
このように、可動パネル１６−１〜１６−３、１６−１０〜１６−１２を固定パネル１６−４〜１６−９の背後に移動・収納することにより、台座の一部がイベントステ−ジ２６に直ちに変身して、広告ボ−ド１０がイベントステ−ジを兼ねる。そして、イベントステ−ジ２６に展示・即売品などを展示すれば、スペ−ス上の制約を受けることなく、イベントが任意に開催できる。
【００３２】
また、収納位置から可動パネルをもとの位置に戻せば、展示・即売品を展示したままの状態でイベントステ−ジが隠され、搬入、展示、搬出を繰り返す必要がなく、煩雑な準備作業が不要となる。可動パネルがもとの位置に戻されれば、可動パネル１６−３、１６−１０が施錠されて、広告ボ−ド１０は１２枚の広告パネル１６でその全周を覆った姿に戻されて本来の宣伝・広告機能を遂行する。内部のイベントステ−ジ２６に展示・即売品を展示したままでも、施錠しているため、広告ボ−ド１０の回りに夜間、警備員を配置する必要はない。
【００３３】
図２に示すように、照明器具を任意に取付けるためのライテイングレ−ル１９が、前面サイド（張出し１３が台座１２にあるサイド）で天井１４に設けられており、イベントに関連する垂れ幕、ポスタ−（写真、地図を含む）などをライテイングレ−ルに懸架すれば、台座上の空間をイベントステ−ジ２６として華麗かつ有効に利用できる。
【００３４】
イベントでは、特産品などの展示・即売品やカタログをストックしたり、イベント要員（スタップ）のユニフォ−ムや飲み物などを保管してスタップの着替えなどのできる倉庫のようなスペ−スが近くにあることが好ましい。
【００３５】
天井１４を支えるための心柱２８が中空柱形状の広告ボ−ド１０の中心に設けられている。そのため、実施例ではこの心柱２８の左右に遮蔽手段３０（図３（Ａ）参照）を設けて、遮蔽手段の背後を倉庫とし、遮蔽手段の前面をイベントステ−ジ２６としている。たとえば、遮蔽手段３０は鋼板からなる遮蔽壁から構成され、遮蔽壁の一部にドア３１を設けている（図４（Ｃ）参照）。ここで、遮蔽壁３０に美的な装飾を施せば、イベントの背景が美化され、彩りを付加できる。
【００３６】
図４（Ａ）（Ｂ）からよくわかるように、可動パネルの移動によって生じたスペ−スをドア付の遮蔽壁からなる遮蔽壁（遮蔽手段）３０で隔離し、その背後の閉じたスペ−スを倉庫（倉庫スペ−ス）２６ａに、その前面の開放したスペ−スをイベントステ−ジ２６として、イベントステ−ジのすぐ脇に倉庫スペ−スを確保している。そして、遮蔽壁３０にドア３１を設けているため、倉庫スペ−ス２６ａに任意に出入りでき、倉庫スペ−スにたとえば特産品などの展示・即売品やカタログをストックしておけば、すぐに補充できる。
【００３７】
また、この倉庫スペ−ス２６ａに、イベントスタップのユニフォ−ムや飲み物などを保管することにより、スタップの着替えや休憩が適宜行なえる。
【００３８】
ここで、ドア３１の大きさ（幅）を大きく取れば、大きなものが倉庫スペ−ス２６ａに出し入れできる反面、ドアの開放サイドの有効利用が妨げられる。また、ドア３１を内開きとすれば、ドア背後の空間がドア開閉の障害となり、倉庫スペ−ス２６ａが有効に利用できず、外開きとすれば、ドアの開閉がイベントステ−ジ２６の展示の障害となる。
【００３９】
そのため実施例では、図３（Ａ）からよくわかるように、ドア３１を外開きとすることにより倉庫スペ−ス２６ａを有効に利用するとともに、図４（Ｃ）に示すように、ドアを大小２つのドア３１−１、３１−２に分割して心柱２８の左右に設け、大きな幅のドア３１−１によって大きな物の出し入れを確保し、通常は小さな幅のドア３１−２で出入りすることとしている。
【００４０】
ここで、ドア３１−１、３１−２を広告ボ−ド１０の中心の心柱２８の回りで回動させて、その開口が半径方向外方に設定される構成としているため、半径方向外方に必要最小限の開口を開けるだけで倉庫スペ−ス２６ａに出入りできる。そのため、小さな幅のドア３１−２を利用すれば、イベントステ−ジ２６の展示にほとんど影響することなく倉庫スペ−ス２６ａに出入りして、イベント開催中でも展示・即売品やカタログが容易に補充できる。
【００４１】
可動パネルが移動して除かれると、イベントステ−ジ２６の設定される台座上にガイド溝（ガイド手段）２０が残される。しかし、ガイド溝２０は凹形状であるため、突起ほど邪魔にならず、造花などでガイド溝を飾れば有効に利用できる。また、ガイド溝２０にゴム片などで埋めることにより同一平面が容易に確保でき、台座上にガイド溝が残っても実務上支障はない。
【００４２】
図４（Ｃ）に示すように、棚を取付けるための取付け孔３２が、大小のドア３１−１、３１−２を含めて遮蔽壁（遮蔽手段）３０の全面に形成されている。実施例では、大きなドア３１−１に３つ、小さなドア３１−２に２つ、ドア以外の遮蔽壁に２つの取付け孔３２が形成され、一段７つの取付け孔３２が４段設けられている。
【００４３】
このように、取付け孔３２を上下左右に設けることによって、棚を水平、垂直方向に任意に取付けることができ、棚に展示・即売品を置いたり、花を飾るなどして、イベントステ−ジ２６を有効に利用しながら、美的に演出できる。なお、ドアの開閉を確保するように、水平方向の棚はドア３１−１、３２−２に分離して取付けられる。
【００４４】
遮蔽手段３０として、鋼板のような剛体の遮蔽壁に代えて布のカ−テンやアコ−デオンカ−テンのような軟質の遮蔽壁を利用してもよい。カ−テンを遮蔽壁とすれば、イベントステ−ジ２６の展示に何ら影響することなく、出入りできる。遮蔽壁となるカ−テンとして、イベントにふさわしい華やかな絵柄のものを利用するとよい。
【００４５】
また、ドア３１を外開きドアでなく、スライドするドアとしてもよい。スライド式ドアでは、外側に位置する戸袋またはドアに棚用の孔をあけて、水平、垂直な棚を吊ることとなる。
【００４６】
カ−テンのような軟質の遮蔽壁３０は、鋼板のような剛体の遮蔽壁に対して、出入りの容易さでは優る。しかし、天井１４がかなりの重量を有しているため、天井を支える強度の点からは遮蔽壁３０を鋼板のような剛体から構成することが好ましい。なお、剛体から遮蔽壁３０を構成してドア３１を設けた場合、実施例のような外に開くドアとすれば、ドアも含めて遮蔽壁の全面に棚を設けることができる（スライド式ドアではドアを収納したとき、ドアが戸袋の内に収納されるタイプではドアに棚が設けられず、ドアが戸袋の外側にくるタイプでは戸袋に棚が設けられず、どちらでも、遮蔽壁の全面に棚が設けられない）。
【００４７】
さらに実施例では、広告パネル１６の一部を可動としてイベントステ−ジ２６を確保するだけでなく、台座１２の一部を可動とし、引き出してイベントステ−ジを広く確保できるようになっている。
【００４８】
つまり、台座１２は、固定パネルの位置する台座１２ａと、可動パネルの位置する台座１２ｂとに分離して構成され、台座１２ｂがガイドレ−ル３６に導かれて可動となっている（図３（Ａ）参照）。また、図４（Ａ）に示すように、可動台座１２ｂのその下面に転動手段、たとえば軸受付のロ−ラ３８が左右２つづつ計４つ設けられている（図では２つを示す）。
【００４９】
たとえば、ガイドレ−ル３６は断面コ形状の鋼菅からなり、図３（Ａ）に示すように、固定台座１２ａの床下の一連の梁のうち、その３５ａに溶着されて、可動台座１２ｂの横梁３５ｂを貫通して伸び、その先端にＬ形状のストッパ３７が溶着されている。そして、ガイドレ−ル３６は、水平方向に十分離反して２本並行に設けられている。
【００５０】
このように固定台座１２ａに固定したガイドレ−ル３６が、可動台座１２ｂの横梁３５ｂを貫通して伸びている構成では、図３（Ａ）において、矢視Ｙのように可動台座を手前に引けば、可動台座下面のロ−ラ３８が転動しガイドレ−ル３６に導かれて、可動台座は、固定台座と接する図３（Ａ）の位置（当接位置）からさほど大きな力を加えることなく手前に容易に引出される。
【００５１】
ここで、ガイドレ−ル３６の先端のストッパ３７と可動台座１２ｂの横梁３５ｂとの距離Ｌとすれば、可動台座が距離Ｌだけ引出されると、ストッパ３７が横梁３５ｂに係合して自動的に停止する。このように、ストッパ３７によって可動台座１２ｂの引出し位置が限定され、常に所定位置（最大引出位置）まで可動台座を引出せる。また、十分離反した２本のガイドレ−ル３６にガイドされているため、可動台座１２ｂを平行かつ円滑に引出すことができる。
【００５２】
可動台座１２ｂが、距離Ｌだけ引出されると、固定台座１２ａとの間に距離Ｌの隙間が生じ、この隙間は幅Ｌのステップ板４０の架設によって埋められる。
【００５３】
たとえば、ステップ板４０は、固定台座１２ａに回動可能に取付けられ、心柱２８から伸ばしたワイヤ先端のフック（図示しない）をステップ板の自由端に係合させてステップ板を図５（Ａ）に示すように傾斜位置で保持する。また、ステップ板４０の回動を限定して、台座と同一平面で保持するストッパ４２が、可動台座１２ｂに設けられている。そのため、ストッパ３７で限定される所定位置まで可動台座１２ｂを引出してから、フックによる係合を解除すれば、図５（Ａ）（Ｂ）に示すように、ステップ板４０はストッパ４２に限定されるまで自重で回動して、台座と同一平面を自動的に設定する。
【００５４】
このように、所定位置（最大引出位置）まで可動台座１２ｂを引出すことによって生じた隙間が、ステップ板４０の係合を解くだけで、ステップ板で自動的に埋められ、広いイベントステ−ジが迅速、容易に得られる。
【００５５】
ステップ板４０は、固定台座１２ａ、可動台座１２ｂのいずれかに回動可能に取付けられ、図示のようにステップ板を固定台座に設ければ、ストッパ４２は可動台座に設けられる。実施例とは逆にステップ板４０を可動台座１２ｂに設ければ、ストッパ４２は固定台座に設けられる。
【００５６】
イベントステ−ジ２６が広く設定するために可動台座１２ｂを引出せば、広告ボ−ド１０の占有するスペ−スが拡大する。しかし、イベントステ−ジ２６を広告ボ−ド１０と無関係に独立して設けた場合の占有スペ−スに比較して、可動台座１２ｂの引出しによる広告ボ−ドの占有スペ−スの増加はきわめて僅かであり、実務上問題とならない。
【００５７】
なお、実施例では、台座１２を固定台座１２ａと可動台座１２ｂとに分割し、ガイドレ−ル３６を固定台座、可動台座間に架設するとともに、ロ−ラ３８を可動台座に設けて、可動台座の移動を確保している。この構成では、４つのロ−ラ３８で可動台座１２ｂを支えることとなり、ロ−ラにかかる荷重が大きい。そのため、アジャスタ−４４を可動台座１２ｂの下面に設けて、アジャスタ−で可動台座を支えることが好ましい。
【００５８】
たとえば、アジャスタ−４４は、可動台座１２ｂに取付けたボルトの下端に大径のナットを螺合させた公知の構成とされ、通常は、ナットまたはボルトが接地して、ロ−ラ３８を浮き上がらせて、アジャスタ−で可動台座１２ｂの荷重を受ける。そして、可動台座１２ｂを引出す場合には、ロ−ラ３８が接地する位置までナットを回動させてアジャスタ−４４の接地を解除し、ロ−ラの転動を可能とする。実施例では、外部からナットの回動可能な位置で可動台座１２ｂの前端、後端に２つづつ計４つのアジャスタ−４４が設けられている。
【００５９】
実施例では、イベントステ−ジ２６は１８０°の開口角で一方向に形成されている。しかし、複数方向にイベントステ−ジ２６を設けてもよく、例えば図６に示すように、１２枚の広告パネルのうち、連続する２つの広告パネル（たとえば、１６−１、１６−１２）を可動として隣接する１つの広告パネル（１６−２；固定の広告パネル）の背後に重ねて収納すれば、４方向に開口したイベントステ−ジ２６が設定できる。そして、その中心にドア付の遮蔽壁３０を設ければ、倉庫スペ−ス２６ａが確保できる。
【００６０】
このように広告パネル１６を複数箇所で可動として複数方向に開口したイベントステージ２６を設ける構成とすれば、開口毎に異なるイベントが開催できる。そして、異なるイベントを同時に同一箇所で行なうことによって、集客力の大きなイベントが開催できる。
【００６１】
【発明の効果】
上記のように、請求項１記載の発明によれば、可動の広告パネルを固定の広告パネルの背後に移動・収納するだけで広告ボ−ドの一部がイベントステ−ジに変身し、広告ボ−ドがイベントステ−ジを兼ねる。そのため、スペ−ス上の制約を受けることなく、イベントが任意に開催できる。
また、収納位置から可動の広告パネルをもとの位置に戻せば、展示・即売品を展示したままの状態でイベントステ−ジが隠され、煩雑な準備作業が不要となる。もちろん、施錠して可動の広告パネルが移動不能とされ、夜間に警備員を配置する必要もない。
【００６２】
請求項２記載の発明によれば、請求項１記載の発明の効果に加えて、この場合には、イベントステ−ジが遮蔽手段の前面に設定されるとともに、遮蔽手段の背後に倉庫スペ−スが同時に設定できる。イベントステ−ジの脇に倉庫スペ−スがあれば、すこぶる便利であり、たとえば、この倉庫スペ−スに特産品などの展示・即売品やカタログをストックすれば、迅速、容易に補充できる。また、遮蔽手段に美的な装飾を施せば、それ自体でイベントに彩りを付加できる。
【００６３】
請求項３記載の発明によれば、遮蔽手段にドアが設けられているため、倉庫スペ−スに任意に出入りできる。また、ドアの取付け孔を利用して棚を水平、垂直方向に任意に取付けることができ、棚に展示・即売品を置いたり、花を飾るなどして、美的に演出できる。
【００６４】
請求項４記載の発明によれば、外開きのドアであるため、遮蔽手段背後の倉庫スペ−スを有効に利用できる。また、ドアを幅の異なる大小のドアとしたため、大きな幅のドアで大きな物の出し入れを確保し、通常は小さな幅のドアで出入りすれば、イベントステ−ジの展示にさほど影響することなくドアを介して倉庫スペ−スに出入りできる。
【００６５】
請求項５記載の発明によれば、ガイドレ−ルに導かれて可動台座が容易に引出され、可動台座の引出しによってイベントステ−ジが広く設定可能となる。
【００６６】
請求項６記載の発明によれば、台座用ストッパによって可動台座が所定位置まで常に引出され、可動台座の引出しによって生じた隙間にステップ板が架設されてイベントステ−ジが広く設定できる。
【００６７】
請求項７記載の発明によれば、係合を解くだけで隙間にステップ板が架設されて同一平面が設定され、広いイベントステ−ジが迅速、容易に得られる。
【００６８】
請求項８記載の発明によれば、可動の広告パネル下端の転動手段がガイド溝を転動して、可動の広告パネルが円滑に移動できる。また、可動の広告パネルが固定の広告パネルの背後に移動して固定の広告パネルと並んで収納されているため、可動の広告パネルの収納厚さが小さくなり、有効スペ−スを大きく取れる。
【００６９】
請求項９記載の発明によれば、ガイド手段のガイドのもとで、可動の広告パネルを固定の広告パネルの背後に移動・収納するだけで広告ボ−ドの一部がイベントステ−ジに直ちに変身し、広告ボ−ドがイベントステ−ジを兼ねる。そのため、スペ−ス上の制約を受けることなく、イベントが任意に開催できる。
また、収納位置から可動の広告パネルをもとの位置に戻せば、展示・即売品を展示したままの状態でイベントステ−ジが隠され、煩雑な準備作業が不要となる。もちろん、施錠して可動の広告パネルが移動不能とされ、夜間に警備員を配置する必要もない。
【００７０】
請求項１０記載の発明によれば、請求項９記載の発明の効果に加えて、イベントステ−ジが遮蔽手段の前面に設定されるとともに、遮蔽手段の背後に倉庫スペ−スが同時に設定できる。イベントステ−ジの脇に倉庫スペ−スがあれば、すこぶる便利であり、たとえば、この倉庫スペ−スに特産品などの展示・即売品やカタログをストックすれば、迅速、容易に補充できる。
【００７１】
請求項１１記載の発明によれば、広告ボ−ドを利用してイベントステ−ジが設定でき、スペ−ス上の制約を受けることなく、イベントが任意に開催できる。また、収納位置から可動の広告パネルをもとの位置に戻せば、展示・即売品を展示したままの状態でイベントステ−ジが隠され、煩雑な準備作業が不要となる。もちろん、施錠して可動の広告パネルが移動不能とされ、夜間に警備員を配置する必要もない。
【００７２】
請求項１２記載の発明によれば、請求項１１記載の発明の効果に加えて、複数方向の開口を利用して開口毎に異なるイベントを同時に同一箇所で行なえ、集客力の大きなイベントが開催できる。
【００７３】
請求項１３記載の発明によれば、可動台座の引出しによって生じた隙間にステップ板が架設されてイベントステ−ジが広く設定できる。
【図面の簡単な説明】
【図１】（Ａ）はこの発明に係る中空柱形状の広告ボ−ドの正面図、（Ｂ）は平面図である。
【図２】広告ボ−ドの天井の底面図である。
【図３】（Ａ）は広告ボ−ドの台座の拡大正面図、（Ｂ）は（Ａ）のＡ−Ａ線に沿った部分断面図である。
【図４】（Ａ）は可動の広告パネルを移動・収納させてイベントステ−ジを設定した広告ボ−ドの概略右側面図、（Ｂ）は（Ａ）に対応する（天井を除いた）広告ボ−ドの概略平面図、（Ｃ）は広告ボ−ドの概略正面図である。
【図５】（Ａ）は可動台座を引出してイベントステ−ジを広く設定した場合の図４（Ａ）に対応する広告ボ−ドの概略右側面図、（Ｂ）は図４（Ｂ）に対応する広告ボ−ドの概略平面図である。
【図６】複数方向に開口したイベントステ−ジを設定した（天井を除いた）広告ボ−ドの概略平面図である。
【符号の説明】
１０  広告ボ−ド
１２  台座
１２ａ  固定の台座（固定台座）
１２ｂ  可動の台座（可動台座）
１３  台座の張出し
１４  天井
１５  天井の庇
１６  広告パネル
１６−１〜１６−３、１６−１０〜１６−１２  可動の広告パネル（可動パネル）
１６−４〜１６−９  固定の広告パネル（固定パネル）
１８（１８ａ、１８ｂ）  照明器具
２０  ガイド手段（ガイド溝）
２２  転動手段（ロ−ラ）
２６  イベントステ−ジ（イベントスペ−ス）
２６ａ  倉庫スペ−ス
２８  心柱
３０  遮蔽手段（遮蔽壁）
３１（３１ａ、３１ｂ）  ドア
３２  棚の取付け孔
３６  ガイドレ−ル
３７  可動台座のストッパ
３８  転動手段（ロ−ラ）
４０  ステップ板
４２  ステップ板のストッパ
【図１】
2004191511.tif 000003
【図２】
2004191511.tif 000004
【図３】
2004191511.tif 000005
【図４】
2004191511.tif 000006
【図５】
2004191511.tif 000007
【図６】
2004191511.tif 000008